(57)【要約】      （修正有）【課題】インター・オペレータ・Ｄ２Ｄ（デバイス間）オペレーションに関して、Ｄ２Ｄ発見及び通信する方法を提供する。【解決手段】オペレータにより運用されるネットワーク要素において、該オペレータ以外の１つ以上のオペレータに関係する無線リソース情報を作製するステップと、ネットワーク要素により、無線リソース情報をブロードキャストするステップを含む。この無線リソース情報は、ネットワーク要素によるサービス提供を受けるユーザ機器がデバイス間の発見および／または１つ以上のオペレータのうちの少なくとも１つによるサービス提供を受けている別のユーザ機器との通信を遂行できるようにするように構成される。【選択図】図４
2019013002.tif 000002
【特許請求の範囲】
【請求項１】
オペレータにより運用されるネットワーク要素において、該オペレータ以外の１つ以上のオペレータに関係する無線リソース情報を準備するステップと、
前記ネットワーク要素により、前記無線リソース情報をブロードキャストするステップと、
を含む方法であって、
前記無線リソース情報は、前記ネットワーク要素によりサービスされるユーザ機器が、Ｄ２Ｄ（デバイス間）発見、および／または、前記１つ以上のオペレータのうちの少なくとも１つによりサービスされる別のユーザ機器との通信を実行することを許可するように構成される、方法。
【請求項２】
前記無線リソース情報は、前記１つ以上のオペレータの地上波公共移動体ネットワーク識別子、および、前記１つ以上のオペレータの少なくとも１つの動作周波数帯域／キャリアを含む、請求項１に記載の方法。
【請求項３】
Ｄ２Ｄ（デバイス間）関連オペレーションを含むインター・オペレータ・オペレーションについてのユーザ機器特定リソース制約を設定するステップ、をさらに含む、請求項１に記載の方法。
【請求項４】
ユーザ機器において、発見情報メッセージを準備するステップと、
前記ユーザ機器によって、前記発見情報メッセージをブロードキャストするステップと、を含む方法であって、
前記発見情報メッセージが、イントラ・オペレータＤ２Ｄ（デバイス間）オペレーションに関係する発見情報およびインター・オペレータＤ２Ｄ（デバイス間）オペレーションに関係する発見情報を含む、方法。
【請求項５】
前記発見情報メッセージは、ユーザ機器ケーパビリティおよびリソース制約情報を含む、請求項４に記載の方法。
【請求項６】
前記発見情報メッセージは、割当てられた無線リソース内で伝送され、
前記割当てられた無線リソースは、それがインター・オペレータＤ２Ｄ（デバイス間）オペレーションについての情報を含むか否かに依存して選択される、
請求項４に記載の方法。
【請求項７】
別のユーザ機器とのＤ２Ｄ（デバイス間）通信リンクの確立を開始している間に、該別のユーザ機器に対して自身のリソース制約を報告するステップをさらに含む、請求項４に記載の方法。
【請求項８】
別のユーザ機器とのＤ２Ｄ（デバイス間）通信を行っている間に、該別のユーザ機器についてのＤ２Ｄ（デバイス間）通信をスケジューリングするステップをさらに含む、請求項４に記載の方法。
【請求項９】
ユーザ機器により発見情報メッセージについて監視するステップと、
前記発見情報メッセージに基づいてＤ２Ｄ（デバイス間）通信を開始するステップと、
を含む方法であって、
前記監視するステップは、インター・オペレータＤ２Ｄ（デバイス間）通信についての発見メッセージを除外するように制限されている、または、前記監視するステップは、インター・オペレータＤ２Ｄ（デバイス間）オペレーションおよびイントラ・オペレータＤ２Ｄ（デバイス間）オペレーションの両方についての発見メッセージについて監視するステップを含む、方法。
【請求項１０】
前記監視するステップは、イントラ・オペレータＤ２Ｄ（デバイス間）通信情報が
前記ユーザ機器によって望まれているか否かに依存応じて、前記監視するステップが割当てられた無線リソースをサーチするステップを含む、請求項９に記載の方法。
【請求項１１】
インター・オペレータＤ２Ｄオペレーションのための別のオペレータの帯域／キャリアに切換えている間、前記ユーザ機器のサービング・オペレータとのセルラー・リンクを維持するステップをさらに含む、請求項９に記載の方法。
【請求項１２】
別のユーザ機器とのＤ２Ｄ（デバイス間）通信リンクの確立を開始している間に、該別のユーザ機器に対して自身のリソース制約を報告するステップをさらに含む、請求項９に記載の方法。
【請求項１３】
少なくとも１つのプロセッサと、コンピュータ・プログラム・コードを含む少なくとも１つのメモリと、を備える装置であって、
前記少なくとも１つのメモリおよび前記コンピュータ・プログラム・コードは、前記少なくとも１つのプロセッサを用いて、前記装置に、少なくとも、
オペレータにより運用されるネットワーク要素において、該オペレータ以外の１つ以上のオペレータに関係する無線リソース情報を準備、および、前記ネットワーク要素により、前記無線リソース情報をブロードキャストさせるように構成されており、
前記無線リソース情報は、前記ネットワーク要素によるサービス提供を受けるユーザ機器が、Ｄ２Ｄ（デバイス間）の発見、および／または、前記１つ以上のオペレータのうちの少なくとも１つによりサービスされる別のユーザ機器との通信を実行することを許可するように構成される、装置。
【請求項１４】
前記無線リソース情報は、前記１つ以上のオペレータの地上波公共移動体ネットワーク識別子、および、前記１つ以上のオペレータの少なくとも１つの動作周波数帯域／キャリアを含む、請求項１３に記載の装置。
【請求項１５】
前記少なくとも１つのメモリおよび前記コンピュータ・プログラム・コードは、前記少なくとも１つのプロセッサを用いて、前記装置に、少なくとも、
インター・オペレータＤ２Ｄ（デバイス間）関連オペレーションを含むオペレーションに対するユーザ機器特定リソース制約を設定させるように構成される、
請求項１３に記載の装置。
【請求項１６】
少なくとも１つのプロセッサと、コンピュータ・プログラム・コードを含む少なくとも１つのメモリと、を備える装置であって、
前記少なくとも１つのメモリおよび前記コンピュータ・プログラム・コードは、前記少なくとも１つのプロセッサを用いて、前記装置に、少なくとも、
ユーザ機器において、発見情報メッセージを準備、および、前記ユーザ機器によって、前記発見情報メッセージをブロードキャストさせるように構成され、
前記発見情報メッセージは、イントラ・オペレータＤ２Ｄ（デバイス間）オペレーションに関係する発見情報およびインター・オペレータＤ２Ｄ（デバイス間）オペレーションに関係する発見情報を含む、装置。
【請求項１７】
前記発見情報メッセージは、ユーザ機器ケーパビリティおよびリソース制約情報を含む、請求項１６に記載の装置。
【請求項１８】
前記発見情報メッセージは、割当てられた無線リソース内で伝送され、
前記割当てられた無線リソースは、それが、インター・オペレータＤ２Ｄ（デバイス間）オペレーションについての情報を含むか否かに依存して、選択される、請求項１６に記載の装置。
【請求項１９】
前記少なくとも１つのメモリおよび前記コンピュータ・プログラム・コードは、前記少なくとも１つのプロセッサを用いて、前記装置に、少なくとも、
別のユーザ機器とのＤ２Ｄ（デバイス間）通信リンクの確立を開始している間に、該別のユーザ機器に対して自身のリソース制約を報告させるように構成される、請求項１６に記載の装置。
【請求項２０】
前記少なくとも１つのメモリおよび前記コンピュータ・プログラム・コードは、前記少なくとも１つのプロセッサを用いて、前記装置に、少なくとも、
別のユーザ機器とのＤ２Ｄ（デバイス間）通信を行っている間に、該別のユーザ機器についてのＤ２Ｄ（デバイス間）通信をスケジューリングさせるように構成される、請求項１６に記載の装置。
【請求項２１】
少なくとも１つのプロセッサと、コンピュータ・プログラム・コードを含む少なくとも１つのメモリと、を備える装置であって、前記少なくとも１つのメモリおよび前記コンピュータ・プログラム・コードは、前記少なくとも１つのプロセッサを用いて、前記装置に少なくとも、
ユーザ機器により、Ｄ２Ｄ（デバイス間）の通信に関する発見情報メッセージについて監視、および、前記発見情報メッセージに基づいてＤ２Ｄ（デバイス間）通信を開始させるように構成され、
前記監視することは、インター・オペレータＤ２Ｄ（デバイス間）通信についての発見メッセージを除外するように制限されている、または、前記監視することは、インター・オペレータＤ２Ｄ（デバイス間）オペレーションおよびイントラ・オペレータＤ２Ｄ（デバイス間）オペレーションの両方についての発見メッセージについて監視することを含む、装置。
【請求項２２】
前記少なくとも１つのメモリおよび前記コンピュータ・プログラム・コードは、前記少なくとも１つのプロセッサを用いて、前記装置に、少なくとも、
イントラ・オペレータＤ２Ｄ（デバイス間）通信情報が、前記ユーザ機器によって望まれるか否かに依存して、割当てられた無線リソースをサーチさせるように構成される、請求項２１に記載の装置。
【請求項２３】
前記少なくとも１つのメモリおよび前記コンピュータ・プログラム・コードは、前記少なくとも１つのプロセッサを用いて、前記装置に、少なくとも、インター・オペレータＤ２Ｄオペレーションのための別のオペレータの帯域／キャリアに切換えている間、前記ユーザ機器のサービング・オペレータとのセルラー・リンクを維持させるように構成されている、請求項２１に記載の装置。
【請求項２４】
前記少なくとも１つのメモリおよび前記コンピュータ・プログラム・コードは、前記少なくとも１つのプロセッサを用いて、前記装置に少なくとも、別のユーザ機器とのＤ２Ｄ（デバイス間）通信リンクの確立を開始している間に、該別のユーザ機器に対して自身のリソース制約を報告させるように構成される、請求項２１に記載の方法。
【請求項２５】
オペレータにより運用されるネットワーク要素において、該オペレータ以外の１つ以上のオペレータに関係する無線リソース情報を準備する手段と、
前記ネットワーク要素により、前記無線リソース情報をブロードキャストする手段と、
を備える装置において、
前記無線リソース情報は、前記ネットワーク要素によりサービスされるユーザ機器が、Ｄ２Ｄ（デバイス間）の発見、および／または、前記１つ以上のオペレータのうちの少なくとも１つによりサービスされる別のユーザ機器との通信を実行することを許可するように構成される、装置。
【請求項２６】
ユーザ機器において、発見情報メッセージを準備する手段と、
前記ユーザ機器によって、前記発見情報メッセージをブロードキャストする手段と、
を備える装置であって、
前記発見情報メッセージは、イントラ・オペレータＤ２Ｄ（デバイス間）オペレーションに関係する発見情報、および、インター・オペレータＤ２Ｄ（デバイス間）オペレーションに関係する発見情報を含む、装置。
【請求項２７】
ユーザ機器により、Ｄ２Ｄ（デバイス間）通信に関する発見情報メッセージについて監視する手段と、
前記発見情報メッセージに基づいてＤ２Ｄ（デバイス間）通信を開始する手段と、
を備える装置であって、
前記監視することは、インター・オペレータＤ２Ｄ（デバイス間）通信についての発見メッセージを除外するように制限されている、または、前記監視することは、インター・オペレータＤ２Ｄ（デバイス間）オペレーションおよびイントラ・オペレータＤ２Ｄ（デバイス間）オペレーションの両方についての発見メッセージについて監視することを含む、装置。
【請求項２８】
ハードウェア内で実行されたとき、請求項１ないし１２のいずれか１項に記載の方法を含むプロセスを実行する命令でエンコードされた非一時的コンピュータ可読媒体。
【請求項２９】
請求項１ないし１２のいずれか１項に記載の方法を含むプロセスを実行する命令をエンコードするコンピュータ・プログラム・プロダクト。
【発明の詳細な説明】
【技術分野】
【０００１】
さまざまな通信システムが、インター・オペレータＤ２Ｄ（デバイス間）オペレーション（ｉｎｔｅｒ−ｏｐｅｒａｔｏｒ  ｄｅｖｉｃｅ−ｔｏ−ｄｅｖｉｃｅ  ｏｐｅｒａｔｉｏｎ）の利益を享受し得る。例えば、第３世代パートナーシップ・プロジェクト（３ＧＰＰ）ロング・ターム・エボリューション（ＬＴＥ）アドバンスト（ＬＴＥ−Ａ）リリース１２／１３（Ｒｅｌ−１２／１３）または今後のリリースの通信システムは、Ｄ２Ｄ通信に関してこのようなオペレーションを使用する可能性がある。
【背景技術】
【０００２】
送信機と受信機間で共有されるキャリア周波数は、通信リンクにとっての前提条件であり得る。インター・オペレータＤ２Ｄ（デバイス間）通信の場合、送信機および受信機は、従来の展開アプローチにしたがって異なるキャリアおよび／または帯域内で異なるオペレータによりサービス提供されるユーザ機器（ＵＥ）である。
【０００３】
異なるキャリアおよび／または帯域内で異なるオペレータによるサービス提供を受けているＵＥに、同じキャリア／帯域上でＤ２Ｄリンクを確立させる方法は、いくつか存在する。Ｄ２Ｄリンクの確立をサポートするこのような方法は、発見および通信の両方の観点から見て、インター・オペレータＤ２Ｄオペレーションをサポートする上で有用であり得る。
【０００４】
考えられる１つのアプローチは、２つのオペレータがインター・オペレータＤ２Ｄ通信のためにキャリアおよび／または帯域を共有することである。しかしながら、複数オペレータが特定のサービスについてキャリアおよび／または帯域を共有することを妨げるセルラー通信におけるスペクトル規制政策が存在する場合がある。
【０００５】
別のオプションは、Ｄ２Ｄを行うために１つのオペレータのネットワーク（ＮＷ）から別のオペレータのＮＷにＵＥがローミングすることである。ＵＥローミングの後、インター・オペレータＤ２Ｄは、イントラ・オペレータＤ２Ｄと類似のまたは同じ形で運用される。このオプションは従来、現行のオペレータ間ローミング協定では不可能である。さらに、このオプションは、ＵＥがその自身のサービング・オペレータのカバレッジ内部にある場合でも別のオペレータのＮＷへとＵＥを強制的にローミングさせる。ローミング規則が変更され、ＵＥがＤ２Ｄをサポートするために自立的にローミングできるとすれば、以下のような帰結が発生し得る。
【０００６】
第１に、利用者には高額のローミング料金が発生する可能性がある。利用者は、Ｄ２Ｄ通信だけのためにこのようなローミング料金を受諾するのを渋る可能性がある。第２に、ローミングを受ける側のオペレータ、すなわちローミングするＤ２Ｄデバイスによりそのリソースが使用され得るオペレータに対して無制御の負荷が存在する場合がある。換言すると、ローミングを受けたオペレータは、ローミングするＵＥのセルラー・リンクおよびトラヒックを管理しなければならない。これは、ローミングを受けたオペレータにとって追加の制御不能な負担となる。
【０００７】
上述の２つの帰結は、ＵＥがＤ２Ｄだけを理由として自由にローミングすることを許されていないもののローミングが２つのオペレータの監視下で行なわれる場合、部分的に解決可能である。この場合、特別なローミング料金を適用でき、オペレータ達は、負荷の公正な共有に合意することができる。
【０００８】
しかしながら、オペレータ間のこのような協力は、サービング・オペレータのネットワークからの切断およびローミング対象ネットワークへの接続がＥ−ＵＴＲＡＮサービスに影響を及ぼし得るという事実に対処できない。３ＧＰＰ技術仕様書（ＴＳ）２２，２７８の第７Ａ．１節では、「Ｅ−ＵＴＲＡＮサービスに対するＰｒｏＳｅの影響は最小限に抑えられるべきである」と記載されている。３ＧＰＰＴＳ２２，２７８は、参照により本明細書にその全体が援用されている。したがって、これらのアプローチは、３ＧＰＰＴＳ２２，２７８と整合しない可能性がある。
【発明の概要】
【０００９】
ある実施形態によると、方法は、オペレータにより運用されるネットワーク要素において、該オペレータ以外の１つ以上のオペレータに関係する無線リソース情報を作製するステップを含むことができる。該方法は、ネットワーク要素により、無線リソース情報をブロードキャストするステップも含むことができる。この無線リソース情報は、ネットワーク要素によるサービス提供を受けるユーザ機器がＤ２Ｄ（デバイス間）発見および／または１つ以上のオペレータのうちの少なくとも１つによるサービス提供を受けている別のユーザ機器との通信を遂行できるようにするように構成され得る。
【００１０】
ある実施形態において、方法は、ユーザ機器において、Ｄ２Ｄ（デバイス間）通信のために使用できる発見情報メッセージを作製するステップを含むことができる。発見は、通信とは独立したプロセスであり得る。Ｄ２Ｄ発見後にＤ２Ｄ通信リンクのセットアップがつねに存在するとは限らない。この方法は、同様に、ユーザ機器によって、発見情報メッセージをブロードキャストするステップをも含むことができる。この発見情報メッセージは、イントラ・オペレータＤ２Ｄ（デバイス間）オペレーションに関係する発見情報およびインター・オペレータＤ２Ｄ（デバイス間）オペレーションに関係する発見情報を含むことができる。
【００１１】
ある実施形態によると、方法は、ユーザ機器によりＤ２Ｄ（デバイス間）通信のために使用可能な発見情報メッセージについて監視を行うステップを含むことができる。この方法は、発見情報メッセージに基づいてＤ２Ｄ（デバイス間）通信を開始するステップを含むことができる。この監視ステップは、インター・オペレータＤ２Ｄ（デバイス間）通信についての発見メッセージを除外するように制限され得るか、またはインター・オペレータＤ２Ｄ（デバイス間）オペレーションおよびイントラ・オペレータＤ２Ｄ（デバイス間）オペレーションの両方についての発見メッセージについて監視するステップを含むことができる。
【００１２】
ある実施形態においては、非一時的コンピュータ可読媒体が、ハードウェアで実行された場合にプロセスを遂行する命令によりエンコードされ得る。
【００１３】
ある実施形態によると、コンピュータ・プログラム製品が、プロセスを遂行するための命令をエンコードできる。このプロセスは、上述の方法のいずれでも得る。
【００１４】
ある実施形態において、装置は、少なくとも１つのプロセッサと、コンピュータ・プログラム・コードを含む少なくとも１つのメモリと、を含むことができる。少なくとも１つのメモリおよびコンピュータ・プログラム・コードは、少なくとも１つのプロセッサを用いて、装置に少なくとも、オペレータにより運用されるネットワーク要素において、該オペレータ以外の１つ以上のオペレータに関係する無線リソース情報を作製させるように構成され得る。少なくとも１つのメモリおよびコンピュータ・プログラム・コードは、少なくとも１つのプロセッサを用いて、装置に少なくとも、ネットワーク要素により、無線リソース情報をブロードキャストさせるようにも構成され得る。無線リソース情報は、ネットワーク要素によるサービス提供を受けるユーザ機器がＤ２Ｄ（デバイス間）の発見および／または１つ以上のオペレータのうちの少なくとも１つによるサービス提供を受けている別のユーザ機器との通信を遂行できるようにするように構成され得る。
【００１５】
ある実施形態によると、装置は、少なくとも１つのプロセッサと、コンピュータ・プログラム・コードを含む少なくとも１つのメモリと、を含むことができる。少なくとも１つのメモリおよびコンピュータ・プログラム・コードは、少なくとも１つのプロセッサを用いて、装置に少なくとも、ユーザ機器において、Ｄ２Ｄ（デバイス間）通信のために使用可能である発見情報メッセージを作製させるように構成され得る。少なくとも１つのメモリおよびコンピュータ・プログラム・コードは、少なくとも１つのプロセッサを用いて、装置に少なくとも、ユーザ機器によって、発見情報メッセージをブロードキャストさせるようにも構成され得る。発見情報メッセージは、イントラ・オペレータＤ２Ｄ（デバイス間）オペレーションに関係し得る発見情報およびインター・オペレータＤ２Ｄ（デバイス間）オペレーションに関係する発見情報を含むことができる。
【００１６】
ある実施形態において、装置は、少なくとも１つのプロセッサと、コンピュータ・プログラム・コードを含む少なくとも１つのメモリとを含むことができる。少なくとも１つのメモリおよびコンピュータ・プログラム・コードは、少なくとも１つのプロセッサを用いて、装置に少なくとも、ユーザ機器によりＤ２Ｄ（デバイス間）の通信のために使用され得る発見情報メッセージについて監視させるように構成され得る。少なくとも１つのメモリおよびコンピュータ・プログラム・コードは、少なくとも１つのプロセッサを用いて、装置に少なくとも、発見情報メッセージに基づいてＤ２Ｄ（デバイス間）通信を開始させるように構成され得る。監視ステップは、インター・オペレータＤ２Ｄ（デバイス間）通信についての発見メッセージを除外するように制限され得るか、またはインター・オペレータＤ２Ｄ（デバイス間）オペレーションおよびイントラ・オペレータＤ２Ｄ（デバイス間）オペレーションの両方についての発見メッセージについて監視するステップを含むことができる。
【００１７】
ある実施形態によると、装置は、オペレータにより運用されるネットワーク要素において、該オペレータ以外の１つ以上のオペレータに関係する無線リソース情報を作製するための手段を含むことができる。装置は同様に、ネットワーク要素により、無線リソース情報をブロードキャストするための手段も含むことができる。無線リソース情報は、ネットワーク要素によるサービス提供を受けるユーザ機器が発見および／または１つ以上のオペレータのうちの少なくとも１つによるサービス提供を受けている別のユーザ機器とのＤ２Ｄ（デバイス間）通信を遂行できるようにするように構成され得る。
【００１８】
ある実施形態において、装置は、ユーザ機器において、Ｄ２Ｄ（デバイス間）通信のために使用できる発見情報メッセージを作製するための手段を含むことができる。装置は、同様に、ユーザ機器によって、発見情報メッセージをブロードキャストするための手段を含むことができる。発見情報メッセージは、イントラ・オペレータＤ２Ｄ（デバイス間）オペレーションに関係する発見情報およびインター・オペレータＤ２Ｄ（デバイス間）オペレーションに関係する発見情報を含むことができる。
【００１９】
ある実施形態によると、装置は、ユーザ機器により、Ｄ２Ｄ（デバイス間）通信のために使用され得る発見情報メッセージについて監視を行うための手段を含むことができる。装置は、発見情報メッセージに基づいてＤ２Ｄ（デバイス間）通信を開始するための手段をも含むことができる。監視ステップは、インター・オペレータＤ２Ｄ（デバイス間）通信についての発見メッセージを除外するように制限され得るか、またはインター・オペレータＤ２Ｄ（デバイス間）オペレーションおよびイントラ・オペレータＤ２Ｄ（デバイス間）オペレーションの両方についての発見メッセージについて監視するステップを含むことができる。
【００２０】
本発明を適正に理解するためには、添付図面を参照すべきである。
【図面の簡単な説明】
【００２１】
【図１】ある実施形態に係るＤ２Ｄ（デバイス間）発見メッセージのためのリソース割当てを例示する。
【図２】ある実施形態に係るシステムアーキテクチャを例示する。
【図３】ある実施形態に係る方法および信号の流れを例示する。
【図４】ある実施形態に係る方法を例示する。
【図５】ある実施形態に係る別の方法を例示する。
【図６】ある実施形態に係るさらなる方法を例示する。
【図７】ある実施形態に係るシステムを例示する。
【発明を実施するための形態】
【００２２】
ある実施形態は、近接サービス（ＰｒｏＳｅ）／Ｄ２Ｄ（デバイス間）発見および通信に関係し得る。より詳細には、ある実施形態は、ユーザ機器（ＵＥ）がいかにして異なるオペレータによるサービス提供を受けかつそれでもなおＤ２Ｄ発見および通信を実行できるかに向けられている。
【００２３】
ある実施形態において、オペレータのネットワーク（ＮＷ）要素は、地上波公共移動体ネットワーク（ＰＬＭＮ）識別子（ｉｄ）およびオペレータがインター・オペレータＤ２Ｄオペレーションをサポートしている周波数帯域（単複）／キャリアなどの、異なるオペレータに関係する無線リソース情報をブロードキャストし得る。全てのオペレータがインター・オペレータＤ２Ｄオペレーションをサポートできるわけではない。したがって、このような情報が、インター・オペレータＤ２Ｄ発見および通信において役立ち得る。
【００２４】
ある実施形態においては、ＵＥが選択可能な、発見信号内の２つのタイプの発見メッセージが発見信号内に存在し得る。１つの発見メッセージタイプは、イントラ・オペレータおよびインター・オペレータの両方のＤ２Ｄまたは該当する場合には部分的カバレッジのケースなどの他のシナリオについての情報を格納することができる。このタイプは、タイプ１と呼ぶことができる。このタイプの発見メッセージは、ＵＥケーパビリティおよびリソース制約などのインター・オペレータＤ２Ｄをサポートするための情報要素を格納し得る。ＵＥケーパビリティは、ＵＥがサポートする周波数帯域についての情報を含み得る。ＵＥケーパビリティは同様に、２つ以上の帯域上で同時に動作するＵＥのケーパビリティについての情報を含むこともできる。
【００２５】
別の発見メッセージタイプは、イントラ・オペレータＤ２Ｄのみのための情報を含むことができる。このタイプの発見メッセージは、タイプ２のメッセージと呼ぶことができる。このタイプの発見メッセージは、インター・オペレータ・オペレーションについての情報を格納し得ない。
【００２６】
このような２つ以上のタイプの発見メッセージを、異なる無線リソース内に割当てることが可能である。例えば、図１は、ある実施形態に係るＤ２Ｄ（デバイス間）発見メッセージについてのリソース割当てを例示している。図１に示されている通り、受信ＵＥの見地から見ると、タイプ１の発見メッセージおよびタイプ２の発見メッセージのために別個のサーチスペースが存在し得る。各オペレータは、例えばシステム情報ブロック（ＳＩＢ）内で、タイプ１およびタイプ２の信号についての無線リソースに関する情報をブロードキャストすることができる。
【００２７】
異なるタイプの発見メッセージは、同様に、同じ無線リソースを共有することもできる。共有は、タイプ１およびタイプ２のメッセージのために使用される無線リソースが全く等しいサイズを有するもののメッセージの情報コンテンツが異なっているという意味において、完全なものであり得る。この場合、タイプ１およびタイプ２のメッセージは、異なるエンコーディングまたは異なる参照記号によって区別される。異なるエンコーディングは、異なるコードレート、異なる情報ビットスクランブリングまたは異なる周期的冗長検査（ＣＲＣ）ビットスクランブリングを含み得ると考えられる。
【００２８】
リソース共有は同様に、タイプ１メッセージが２つの部分で構成され得、第１の部分がタイプ２と同一であり、第２の部分がインター・オペレータ発見のみに関連する情報を格納するという意味で、部分的なものでもあり得る。完全なタイプ１メッセージの検出は、２段階プロシージャを用いて行なわれると考えられる。すなわち第１段階では、タイプ２のコンテンツを伴うメッセージ部分がデコードされ、第２段階では、別々に伝送されるインター・オペレータ発見に関連する部分がデコードされると考えられる。第１の部分からの一部の情報は、第２の部分と第１の部分のリンキングを提供することができる。リンキングは、第１の部分のために使用される無線リソースが、第２の部分のデコーディングをどのリソースから試みるべきかを告げるような形で、無線リソースに基づくものであり得る。リンキングは同様に、第１の部分のコンテンツに基づくものでもあり得る。一例として、第１の部分内のアイデンティティまたはアイデンティティを搬送するビットの一部分を、第２の部分の中で反復することができる。別の例としては、第１の部分内のアイデンティティまたはアイデンティティを搬送するビットの一部を、第２の部分またはそのＣＲＣビットをスクランブリングするために使用して、第１の部分のデコーディング後に第２の部分がデコーディング可能となり、デコーディングが１つの第２の部分でのみ成功するようにすることができる。インター・オペレータ発見関連情報を別個に伝送することのメリットにより、初期の標準リリースのＵＥのような一部のＵＥがタイプ２のメッセージのみを認識する場合に、リソースの使用を最適化することが可能となる。これは、２部分伝送が無い場合、タイプ１のメッセージをサポートする後期の標準リリースのＵＥが、２回すなわち初期リリースのＵＥのために一回そしてキャリア間早見のために一回、タイプ２のコンテンツを伝送することが必要となるからである。
【００２９】
ＵＥが別のオペレータの帯域上での発見を試みる場合、ＵＥは、発見メッセージタイプ１のみを発見／検出する可能性がある。対照的に、ＵＥがそのサービング・オペレータの帯域上で発見を行う場合、ＵＥは、両方のタイプの発見メッセージ、すなわちタイプ１およびタイプ２の両方を発見／検出できる。
【００３０】
図２は、ある実施形態に係るシステムアーキテクチャを例示する。図２に示されている通り、ＵＥ１などの接続済みモードのＵＥは、インター・オペレータＤ２Ｄオペレーションのために他のオペレータの帯域に切換える間、オペレータ１などのＵＥのサービング・オペレータとのＵＥのセルラー・リンクを保つことができる。オペレータ１へのセルラー・リンクは、ｅＮＢ１を介して提供され得る。同様にしてＵＥ２は、ｅＮＢ２により提供されるオペレータ２に対するセルラー・リンクを有することができる。ＵＥ２は、ＵＥ１の観点から見て、オペレータ２にローミングされるＤ２Ｄリンク上でＵＥ１と通信できる。
【００３１】
インター・オペレータＤ２Ｄオペレーションのための時分割多重（ＴＤＭ）タイプの切換えについては、サービングｅＮＢは、例えばどのサブフレーム（ＳＦ）がインター・オペレータＤ２Ｄのために利用可能であるかなど、インター・オペレータＤ２ＤについてのＵＥ特定的リソース制約を設定することができる。ＵＥは、このようなリソース制約情報をその発見メッセージ内に挿入することができる。
【００３２】
Ｄ２Ｄ通信のためには、ＵＥは、そのＤ２ＤペアＵＥによりスケジューリングされ得る。図２中の例において、ＵＥ１は、ＵＥ２によって、またはより厳密にはｅＮＢ２によって、Ｄ２Ｄリンクとの関係においてスケジューリングされ得る。換言すると、使用される特定の時間−周波数無線リソースは、Ｄ２ＤペアＵＥからのスケジューリング決定に従うことができる。このことは、他のシナリオにも同様に適用可能である。例えば、部分的カバレッジの場合、ＮＷカバレッジからのＵＥは、セルラーオペレーションに対する潜在的な干渉を削減するため、セルラーリソースの使用に関する情報をより多く有するカバレッジＵＥによりスケジューリングされ得る。
【００３３】
スケジューリングされたＵＥは、Ｄ２Ｄ通信リンク確立の始めにそのＤ２ＤペアＵＥに対して、そのサービングｅＮＢにより構成されたＵＥ自身のリソース制約を報告することができる。
【００３４】
こうして、ある実施形態においては、ＵＥ１のＤ２Ｄ通信リンクのみが他方のオペレータのＮＷに切換えられ、セルラー・リンクはつねに、ＵＥのホーム・オペレータのＮＷ内に保持され得る。
【００３５】
ある実施形態において、インター・オペレータ発見のために、ＵＥは、そのホーム・オペレータのＮＷ上でのみ発見信号を送ることができる。こうして、ある実施形態において、ＵＥは、他の任意のオペレータのＮＷおよび帯域上で任意の発見信号を送ることを完全に回避することができる。別のオペレータのネットワークおよび帯域上で伝送することのこの回避は、異なるオペレータ間のあらゆる規制および／または課金上の問題を回避させることができる。このとき、ＵＥは、他のオペレータのＵＥの発見信号を発見または検出するために他のオペレータの帯域に切換えることができ、あるいは、サポートされている場合には、ＵＥは、セルラーオペレーションおよびＤ２Ｄ発見の両方について２つの接続を保つことができる。電力効率の良い発見を行うためには、インター・オペレータＤ２Ｄをサポートするために他のオペレータの帯域上で潜在的な発見信号をサーチするのにＵＥが長い時間をかけているという状況は避ける方が良い場合がある。例えば、発見リソースは、事前に定義または構成され得るか、またはオペレータ間で互いに情報提供し合うことができる。このような情報は、ユニキャスト、マルチキャストまたはブロードキャストの形でＤ２Ｄ有効化ＵＥに送達され得る。
【００３６】
図３は、ある実施形態に係る方法および信号の流れを例示する。図３に示されている通り、３１０で、各ＮＷ（例えばｅＮＢ１およびｅＮＢ２）は、インター・オペレータ発見のために特定の無線リソースを構成することができる。インター・オペレータＤ２ＤをサポートするＵＥ（例えばＵＥ１）は、３３０において、構成されたリソース上で発見信号を送る。さらに、各オペレータは３２０において、例えばＳＩＢ内でこのような無線リソース情報をブロードキャストすることができる。その後、任意には３４０において、別のＵＥ（例えばＵＥ２）が、ＵＥ１とのＤ２Ｄ通信を開始できる。Ｄ２Ｄ発見後に必ずしもＤ２Ｄ通信が行なわれない場合がある。
【００３７】
ＵＥ（例えばＵＥ２）がインター・オペレータＤ２Ｄ発見を開始した時点で、ＵＥは、まず、他のオペレータのＮＷ（例えばｅＮＢ１）に同期し、ブロードキャストされたメッセージ（例えばＳＩＢ）を聴取し、次に発見信号をサーチするために特定の無線リソースについての情報を見出すことができる。
【００３８】
別のオペレータの帯域上で発見を行う場合、ＵＥは、インター・オペレータをサポートする発見信号が割当てられている無線リソース上でのみ発見／検出することができる。
【００３９】
インター・オペレータＤ２Ｄ通信は、異なる帯域をサポートするＵＥの能力などのＵＥケーパビリティに関係し得る。セルラー・リンクに対するインター・オペレータＤ２Ｄサービスからの影響を最小限に抑えるためまたは他の理由から、ｅＮＢは、インター・オペレータＤ２Ｄのための利用可能なリソースに対する制約条件を設定することができる。ＵＥは、このようなＵＥケーパビリティ情報をそのＤ２Ｄ発見メッセージに挿入して、発見中のＵＥがＤ２Ｄ  ＵＥペアリングのためにこのような情報を得ることができるようにすることができる。こうして、より詳細には、ＵＥは、インター・オペレータＤ２Ｄオペレーションのためのその自身のＵＥケーパビリティ情報およびリソース制約を、それが送る発見メッセージ内に挿入することができる。
【００４０】
このようなＵＥケーパビリティおよびリソース制約の情報は、イントラ・オペレータＤ２Ｄ発見には必要でない場合がある。こうして、Ｄ２Ｄ発見メッセージには少なくとも２つのタイプが存在し得る。すなわち、オペレータ関連情報を格納しないイントラ・オペレータ発見用のタイプと、ＵＥイントラ・オペレータおよびリソース制約情報を格納しているインター・オペレータ発見用のタイプである。
【００４１】
ＵＥは、両方のタイプの発見メッセージを同時に送信するのを回避することができる。こうして、ＵＥは、上述の通り、タイプ１とタイプ２のメッセージの間で選択することができる。このような２つのタイプの発見メッセージは、図１中の１つの実施例において示されている通り、異なる無線リソース内に割当てされ得る。各オペレータは、例えばＳＩＢを用いて、このような無線リソース情報をブロードキャストすることができる。
【００４２】
以上で記した通り、ＵＥが別のオペレータの帯域上での発見を試みる場合、ＵＥは、発見メッセージタイプ１のみを発見／検出する可能性がある。一方、ＵＥは、そのサービング・オペレータの帯域上で発見を行う場合、両方のタイプの発見メッセージ、タイプ１およびタイプ２の両方を発見／検出できる。
【００４３】
こうして、例えば、発見中のＵＥは、他のＵＥがそのＵＥネットワークによるサービス提供を受けているか否かまたはＤ２Ｄを目的としてそのＵＥのネットワークにローミングしているか否かを考慮することなく、Ｄ２Ｄの目的のために他のＵＥを同等に処理することができる。
【００４４】
イントラ・オペレータ発見のためには、ＵＥは、ＵＥケーパビリティおよびリソース制約に関連する情報を単に無視することができる。ＵＥは、どのタイプのメッセージを送信するかの決定を下すために、いくつかのデフォルトルールに従うことができる。例えば、ＵＥは、インター・オペレータＤ２Ｄをサポートするケーパビリティを有する場合、規定のリソース上でこのような種類の発見信号を送ることができる。そうでなければ、ＵＥは、単にイントラ・オペレータ発見のための発見信号を送ることができる。代替的には、インター・オペレータＤ２Ｄを許可すべきか否かの機能は、例えばユーザ機器のオペレーティングシステムの設定値メニュー内のユーザ構成可能オペレーションでありかつ／またはオペレータからの承認であり得る。
【００４５】
発見中のＵＥが、適正なＤ２ＤターゲットＵＥを見つけた場合、ＵＥは、そのサービングｅＮＢに報告できる。２つのＵＥがひとたびペアリングされたならば、２つのオペレータは、同じＵＥ対からリポートを受信できる。このとき、両方のＵＥは、そのそれぞれのホーム／サービング・オペレータの情報を受けることができ、例えば以下で論述する通り、通信段階に進むことができる。
【００４６】
インター・オペレータＤ２Ｄ通信のためには、１つの潜在的シナリオは、Ｄ２Ｄリンクが１つのオペレータのＮＷにより制御され、Ｄ２Ｄ通信がその同じオペレータの帯域内で行なわれ得る、というものである。それでも、セルラー・リンクは、なお、ＵＥの各々をそのそれぞれのホーム・オペレータのＮＷに接続することができる。１つの実施例が図２に示されており、この図では、ＵＥ１のセルラー・リンクがなおもそのホーム・オペレータ内にある間にＵＥ１のＤ２Ｄリンクが他のオペレータのＮＷ／帯域に切換わっている。
【００４７】
こうして、Ｄ２Ｄ切換えされたＵＥは、Ｄ２Ｄ通信に関してそのＤ２ＤペアＵＥによりスケジューリングされ得る。一つの実施例が図２にあり、この図では、ＵＥ１がＵＥ２によってスケジューリングされている。ただし、ＵＥ２はなお、オペレータ２のｅＮＢ２によってスケジューリングされ得る。この配設の利点は、ＵＥ１が、単にスケジューリング情報を得るためだけにｅＮＢ２に対するセルラー・リンクを構築する必要がないということにあり得る。
【００４８】
ある実施形態において、Ｄ２Ｄリンクは、ｅＮＢおよび帯域を運用するオペレータの制御下にあり得る。こうして、Ｅ−ＵＴＲＡＮサービスに対するＰｒｏＳｅの影響を最小限にすることができる。Ｄ２Ｄのために使用される利用可能なリソースには、例えば、Ｄ２Ｄには一部のＳＦしか利用できないといったいくつかの制約条件がある可能性がある。
【００４９】
第１の態様によると、ある実施形態は、リソース制約を発見メッセージ中に挿入し得る。サービングｅＮＢは、インター・オペレータＤ２ＤのためのこのようなＵＥ特定的リソース制約についてＵＥに通知することができる。ＵＥは、このような情報を発見メッセージ内に挿入することができる。こうして、リソース制約情報は、発見中のＵＥにより獲得され得、そのとき、適正なインター・オペレータＵＥペアリングのために役立ち得る。オペレータがインター・オペレータＤ２Ｄリンクを管理する場合、それは発見メッセージ中で得られたリソース制約に従う。
【００５０】
第２の態様によると、ある実施形態は、Ｄ２Ｄリンクを用いてリソース制約を報告するステップを含むことができる。２つのＤ２Ｄ  ＵＥがひとたびペアリングされたならば、ｅＮＢは、Ｄ２Ｄ  ＵＥに対してリソース制約を標示する。Ｄ２Ｄリンクが切換えられタＤ２Ｄ  ＵＥは、この制約条件を、Ｄ２Ｄリンク確立の始めにそのペアＤ２Ｄ  ＵＥに報告または伝達することができる。
【００５１】
図４は、ある実施形態に係る方法を例示している。４１０において、この方法は、１オペレータにより運用されるネットワーク要素において、１つ以上の他のオペレータに関係する無線リソース情報を作製するステップを含むことができる。４２０では、この方法は、ネットワーク要素により、無線リソース情報をブロードキャストするステップを含むことができる。無線リソース情報は、ネットワーク要素によるサービス提供を受けるユーザ機器が、１つ以上のオペレータのうちの少なくとも１つによるサービス提供を受ける別のユーザ機器とのＤ２Ｄ（デバイス間）通信を実行できるようにするように構成されている。
【００５２】
無線リソース情報は、１つ以上のオペレータの地上波公共移動体ネットワーク識別子、および／または１つ以上のオペレータの少なくとも１つの動作周波数帯域を含むことができる。
【００５３】
この方法は同様に、４３０においてインター・オペレータＤ２Ｄ（デバイス間）通信についてのユーザ機器特定的リソース制約を設定するステップも含むことができる。この方法はさらに、４４０において、セルラーサービスのための異なるオペレータを有する１つのユーザ機器を含むユーザ機器ペア用のＤ２Ｄ（デバイス間）通信をスケジューリングするステップを含むことができる。
【００５４】
図５は、一部の実施に係る別の方法を例示する。この方法は、５１０で、ユーザ機器において、任意にはＤ２Ｄ（デバイス間）通信のためのものであり得る発見情報メッセージを作製するステップを含むことができる。この方法、同様に、５２０でユーザ機器によって、発見情報メッセージをブロードキャストするステップをも含み得る。発見情報メッセージは、イントラ・オペレータＤ２Ｄ（デバイス間）通信に関係する発見情報を含むことができる。
【００５５】
発見情報メッセージは同様に、インター・オペレータＤ２Ｄ（デバイス間）通信に関係する発見情報も含み得る。例えば、発見情報メッセージは、上述の通りのタイプ１のメッセージであり得る。
【００５６】
代替的には、発見情報メッセージは、インター・オペレータＤ２Ｄ（デバイス間）通信に関係する発見情報を排除することができる。例えば発見情報メッセージは、上述の通りのタイプのメッセージであり得る。
【００５７】
発見情報メッセージは同様に、ユーザ機器ケーパビリティおよびリソース制約情報をも含むことができる。この情報は、ｅＮｏｄｅＢなどの基地局から受信した命令に基づいてユーザ機器により提供され得る。
【００５８】
発見情報メッセージは、割当てられた無線リソース内で伝送され得、ここで割当てられた無線リソースは、イントラ・オペレータＤ２Ｄ（デバイス間）通信情報を含むか否かに応じて選択される。
【００５９】
この方法はさらに、５３０において、別のユーザ機器とのＤ２Ｄ（デバイス間）通信リンクの確立を開始している間に、この別のユーザ機器に対して自身のリソース制約を報告するステップを含むことができる。
【００６０】
この方法は、５４０において、別のユーザ機器とのＤ２Ｄ（デバイス間）通信を行っている間に、この別のユーザ機器についてのＤ２Ｄ（デバイス間）通信をスケジューリングするステップを追加で含むことができる。
【００６１】
図６は、ある実施形態に係るさらなる方法を例示する。図６に示されている通り、方法は、６１０で、ユーザ機器によりＤ２Ｄ（デバイス間）通信に関する発見情報メッセージについて監視を行うステップを含むことができる。この方法は、同様に、６２０で、発見情報メッセージに基づいてＤ２Ｄ（デバイス間）通信を開始するステップをも含むことができる。
【００６２】
この方法は同様に、６０５において、監視ステップを、インター・オペレータＤ２Ｄ（デバイス間）通信についての発見メッセージを除外するように制限するステップも含むことができる。例えばこの方法は、タイプ２のメッセージのみを監視するステップを含むことができる。代替的には、この方法は、６０７で、インター・オペレータＤ２Ｄ（デバイス間）通信およびイントラ・オペレータＤ２Ｄ（デバイス間）通信の両方についての発見メッセージについて監視するステップを含むことができる。例えば、この方法は、タイプ１およびタイプ２の両方についての監視ステップを含むことができる。監視ステップは、イントラ・オペレータＤ２Ｄ（デバイス間）通信情報がユーザ機器によって所望されているか否かに応じて、割当てられた無線リソースをサーチするステップを含むことができる。したがって、例えばタイプ２のメッセージのみが興味の対象である場合、サーチはサーチスペースの一部分に制限され得る。
【００６３】
この方法は同様に、６３０において、インター・オペレータＤ２Ｄオペレーションのために別のオペレータの帯域に切換えている間、ユーザ機器のサービング・オペレータとのセルラー・リンクを維持するステップをも含むことができる。
【００６４】
この方法はさらに、６４０において、別のユーザ機器とのＤ２Ｄ（デバイス間）通信リンクの確立を開始している間に、この別のユーザ機器に対して自身のリソース制約を報告するステップを含むことができる。
【００６５】
図７は、本発明のある実施形態に係るシステムを例示する。一実施形態において、システムは、複数のデバイス、例えば、第１のネットワーク要素７１０、第１のユーザ機器７２０、第２のネットワーク要素７３０および第２のユーザ機器７４０を含み得る。システムは、３つ以上のユーザ機器７２０、７４０および３つ以上のネットワーク要素７１０、７３０を含み得るが、例示を目的として各々１つずつが図示されている。これらのデバイスの各々は、７１４、７２４、７３４および７４４としてそれぞれ標示されている少なくとも１つのプロセッサを含み得る。少なくとも１つのメモリが各デバイス内に具備され得、それぞれ７１５、７２５、７３５および７４５として標示されている。メモリは、その内部に格納されたコンピュータ・プログラム命令またはコンピュータコード含み得る。１つ以上の送受信機７１６、７２６、７３６および７４６が具備されてよく、各デバイスは同様に、それぞれ７１７、７２７、７３７および７４７として例示されているアンテナも含み得る。各々１つのアンテナのみが示されているが、各デバイスに対し多くのアンテナおよび多数のアンテナ要素を具備することもできる。例えばこれらのデバイスの他の構成も提供され得る。例えば、第１のネットワーク要素７１０、第１のユーザ機器７２０、第２のネットワーク要素７３０および第２のユーザ機器７４０を追加で、有線通信向けに構成することができる。このような場合には、アンテナ７１７、７２７、７３７および７４７は、単にアンテナに限定されることなく、任意の形態の通信ハードウェアを例示することができる。例えば、アンテナ７１７、７２７、７３７および７４７は、ネットワークインターフェースカードなどの任意の形態の有線通信ハードウェアを例示することができる。
【００６６】
送受信機７１６、７２６、７３６、および７４６は各々、独立して、送信機、受信機または送信機と受信機の両方、あるいは伝送および受信の両方のために構成され得る１つのユニットまたはデバイスであり得る。
【００６７】
プロセッサ７１４、７２４、７３４および７４４は、中央処理ユニット（ＣＰＵ）、特定用途向け集積回路（ＡＳＩＣ）、または匹敵するデバイスなどの任意の計算またはデータ処理デバイスにより具体化され得る。プロセッサは、単一のコントローラまたは複数のコントローラまたはプロセッサとして実装され得る。
【００６８】
メモリ７１５、７２５、７３５および７４５は、独立して任意の好適な記憶デバイス、例えば非一時的コンピュータ可読媒体であり得る。ハードディスクドライブ（ＨＤＤ）、ランダムアクセスメモリ（ＲＡＭ）、フラッシュメモリまたは他の好適なメモリを使用することができる。メモリは、プロセッサとして単一の集積回路上に組合せることができ、あるいは、それとは別個でもあり得る。さらに、コンピュータ・プログラム命令は、メモリ内に記憶され得、プロセッサにより処理される可能性があるのは、任意の好適な形態の（ＣＰＣ）、例えば任意の好適なプログラミング言語内に書き込まれたコンパイルされたまたは翻訳されたコンピュータ・プログラムであり得る。
【００６９】
メモリおよびコンピュータ・プログラム命令は、特定のデバイス用のプロセッサを用いて、第１のネットワーク要素７１０、第１のユーザ機器７２０、第２のネットワーク要素７３０および第２のユーザ機器７４０などのハードウェア装置に、上述のプロセスのいずれかを遂行させるように構成され得る（例えば図３〜６を参照のこと）。したがって、ある実施形態においては、ハードウェアで実行された場合、本明細書中に説明されたプロセスの１つなどのプロセスを遂行できるコンピュータ命令により非一時的コンピュータ可読媒体がエンコードされ得る。代替的には、本発明のある実施形態を完全にハードウェア内で遂行することが可能である。
【００７０】
さらに、図７は、第１のネットワーク要素７１０、第１のユーザ機器７２０、第２のネットワーク要素７３０および第２のユーザ機器７４０を含むシステムを例示しているが、本発明の実施形態は、他の構成および本明細書中に例示され論述されている通りの追加の要素が関与する構成にも適用可能であり得る（例えば、図１〜３を参照のこと）。
【００７１】
ある実施形態はさまざまなメリットおよび／または利点を有し得る。例えば、インター・オペレータ発見のために、ある実施形態には別のオペレータのＮＷまたは帯域上でのいかなる伝送も関与しない可能性がある。さらに、ある実施形態は、効率の良い発見プロシージャを提供する。インター・オペレータ通信のために、ある実施形態は、他のオペレータのＮＷおよび帯域／キャリアへのセルラー・リンクの切換えを必要としない。
【００７２】
当業者であれば、上述の通りの本発明が、開示されているものと異なる順序でのステップにより、および／または異なる構成のハードウェア要素を用いて実践可能であることを容易に理解するものである。したがって、本発明は、これらの好ましい実施形態に基づいて記述されてきたが、当業者であれば本発明の精神および範囲内にとどまりながらも一部の修正、変更および代替的構造を容易に理解できることは明らかであると思われる。したがって本発明の境界を決定するためには、添付のクレームが参照されるべきである。
【図１】
2019013002.tif 000003
【図２】
2019013002.tif 000004
【図３】
2019013002.tif 000005
【図４】
2019013002.tif 000006
【図５】
2019013002.tif 000007
【図６】
2019013002.tif 000008
【図７】
2019013002.tif 000009
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
ユーザ機器において、発見情報メッセージを準備するステップと、
前記ユーザ機器によって、前記発見情報メッセージをブロードキャストするステップと、を含む方法であって、
前記発見情報メッセージは、イントラ・オペレータＤ２Ｄ（デバイス間）オペレーションに関係する発見情報およびインター・オペレータＤ２Ｄ（デバイス間）オペレーションに関係する発見情報を含む、方法。
【請求項２】
前記発見情報メッセージは、ユーザ機器ケーパビリティおよびリソース制約情報を含む、請求項１に記載の方法。
【請求項３】
前記発見情報メッセージは、割当てられた無線リソース内で伝送され、
前記割当てられた無線リソースは、それが前記インター・オペレータＤ２Ｄ（デバイス間）オペレーションについての情報を含むか否かに依存して選択される、
請求項１または請求項２に記載の方法。
【請求項４】
別のユーザ機器とのＤ２Ｄ（デバイス間）通信リンクの確立を開始している間に、該別のユーザ機器に対して自身のリソース制約を報告するステップをさらに含む、請求項１または請求項２に記載の方法。
【請求項５】
別のユーザ機器とのＤ２Ｄ（デバイス間）通信を行っている間に、該別のユーザ機器についての前記Ｄ２Ｄ（デバイス間）通信をスケジューリングするステップをさらに含む、請求項１または請求項２に記載の方法。
【請求項６】
ユーザ機器により発見情報メッセージについて監視するステップと、
前記発見情報メッセージに基づいてＤ２Ｄ（デバイス間）通信を開始するステップと、
を含む方法であって、
前記監視するステップは、インター・オペレータＤ２Ｄ（デバイス間）通信についての発見メッセージを除外するように制限されている、または、
前記監視するステップは、インター・オペレータＤ２Ｄ（デバイス間）オペレーションおよびイントラ・オペレータＤ２Ｄ（デバイス間）オペレーションの両方についての発見メッセージについて監視するステップを含む、または、
前記監視するステップは、インター・オペレータＤ２Ｄ（デバイス間）通信についての発見メッセージについて監視するステップを含む、方法。
【請求項７】
前記監視するステップは、イントラ・オペレータＤ２Ｄ（デバイス間）通信情報が、前記ユーザ機器によって望まれるか否かに依存して前記監視するステップが割当てられた無線リソースをサーチするステップを含む、請求項６に記載の方法。
【請求項８】
前記インター・オペレータＤ２Ｄ（デバイス間）オペレーションについての別のオペレータの帯域／キャリアに切換えている間、前記ユーザ機器のサービング・オペレータとのセルラー・リンクを維持するステップをさらに含む、請求項６または請求項７に記載の方法。
【請求項９】
別のユーザ機器とのＤ２Ｄ（デバイス間）通信リンクの確立を開始している間に、該別のユーザ機器に対して自身のリソース制約を報告するステップをさらに含む、請求項６または請求項７に記載の方法。
【請求項１０】
少なくとも１つのプロセッサと、コンピュータ・プログラム・コードを含む少なくとも１つのメモリと、を備える装置であって、
前記少なくとも１つのメモリおよび前記コンピュータ・プログラム・コードは、前記少なくとも１つのプロセッサを用いて、前記装置に、少なくとも、
ユーザ機器において、発見情報メッセージを準備、および、前記ユーザ機器から、前記発見情報メッセージをブロードキャストさせるように構成され、
前記発見情報メッセージは、イントラ・オペレータＤ２Ｄ（デバイス間）オペレーションに関係する発見情報、および、インター・オペレータＤ２Ｄ（デバイス間）オペレーションに関係する発見情報を含む、装置。
【請求項１１】
前記発見情報メッセージは、ユーザ機器ケーパビリティおよびリソース制約情報を含む、請求項１０に記載の装置。
【請求項１２】
前記発見情報メッセージは、割当てられた無線リソース内で伝送され、
前記割当てられた無線リソースは、それが、前記インター・オペレータＤ２Ｄ（デバイス間）オペレーションについての情報を含むか否かに依存して、選択される、請求項１０または請求項１１に記載の装置。
【請求項１３】
前記少なくとも１つのメモリおよび前記コンピュータ・プログラム・コードは、前記少なくとも１つのプロセッサを用いて、前記装置に、少なくとも、
別のユーザ機器とのＤ２Ｄ（デバイス間）通信リンクの確立を開始している間に、該別のユーザ機器に対して自身のリソース制約を報告させるように構成される、
請求項１０または請求項１１に記載の装置。
【請求項１４】
前記少なくとも１つのメモリおよび前記コンピュータ・プログラム・コードは、
前記少なくとも１つのプロセッサで、前記装置に、少なくとも、
別のユーザ機器とのＤ２Ｄ（デバイス間）通信を行っている間に、該別のユーザ機器についての前記Ｄ２Ｄ（デバイス間）通信をスケジューリングさせるように構成される、
請求項１０または請求項１１に記載の装置。
【請求項１５】
少なくとも１つのプロセッサと、コンピュータ・プログラム・コードを含む少なくとも１つのメモリと、を備える装置であって、
前記少なくとも１つのメモリおよび前記コンピュータ・プログラム・コードは、前記少なくとも１つのプロセッサを用いて、前記装置に、少なくとも、
ユーザ機器において、Ｄ２Ｄ（デバイス間）の通信に関する発見情報メッセージについて監視させ、および、前記発見情報メッセージに基づいてＤ２Ｄ（デバイス間）通信を開始させるように構成され、
前記監視するステップは、インター・オペレータＤ２Ｄ（デバイス間）通信についての発見メッセージを除外するように制限されている、または、
前記監視することは、インター・オペレータＤ２Ｄ（デバイス間）オペレーションおよびイントラ・オペレータＤ２Ｄ（デバイス間）オペレーションの両方についての発見メッセージについて監視することを含む、または、
前記監視するステップは、インター・オペレータＤ２Ｄ（デバイス間）通信についての発見メッセージ発見メッセージについて監視することを含む、装置。
【請求項１６】
前記少なくとも１つのメモリおよび前記コンピュータ・プログラム・コードは、前記少なくとも１つのプロセッサを用いて、前記装置に、少なくとも、
イントラ・オペレータＤ２Ｄ（デバイス間）通信情報が、前記ユーザ機器によって望まれるか否かに依存して割当てられた無線リソースをサーチさせるように構成される、
請求項１５に記載の装置。
【請求項１７】
前記少なくとも１つのメモリおよび前記コンピュータ・プログラム・コードは、前記少なくとも１つのプロセッサを用いて、前記装置に、少なくとも、
前記インター・オペレータＤ２Ｄ（デバイス間）オペレーションについての別のオペレータの帯域／キャリアに切換えている間、前記ユーザ機器のサービング・オペレータとのセルラー・リンクを維持させるように構成される、請求項１５または請求項１６に記載の装置。
【請求項１８】
前記少なくとも１つのメモリおよび前記コンピュータ・プログラム・コードは、前記少なくとも１つのプロセッサを用いて、前記装置に、少なくとも、
別のユーザ機器とのＤ２Ｄ（デバイス間）通信リンクの確立を開始している間に、該別のユーザ機器に対して自身のリソース制約を報告させるように構成される、請求項１５または請求項１６に記載の装置。
【請求項１９】
ユーザ機器において、発見情報メッセージを準備する手段と、
前記ユーザ機器から、前記発見情報メッセージをブロードキャストする手段と、を備える装置であって、
前記発見情報メッセージは、イントラ・オペレータＤ２Ｄ（デバイス間）オペレーションに関係する発見情報、および、インター・オペレータＤ２Ｄ（デバイス間）オペレーションに関係する発見情報を含む、装置。
【請求項２０】
ユーザ機器において、Ｄ２Ｄ（デバイス間）通信に関する発見情報メッセージについて監視する手段と、
前記発見情報メッセージに基づいてＤ２Ｄ（デバイス間）通信を開始する手段と、
を備える装置であって、
前記監視することは、インター・オペレータＤ２Ｄ（デバイス間）通信についてのを除外するように制限されている、または、
前記監視することは、インター・オペレータＤ２Ｄ（デバイス間）オペレーションおよびイントラ・オペレータＤ２Ｄ（デバイス間）オペレーションの両方についての発見メッセージについて監視することを含む、または、
前記監視することは、インター・オペレータＤ２Ｄ（デバイス間）通信についての発見メッセージ発見メッセージについて監視することを含む、装置。
【請求項２１】
ハードウェア内で実行されたとき、請求項１または６に記載の方法を含むプロセスを実行する命令でエンコードされた非一時的コンピュータ可読媒体。
【請求項２２】
請求項１または６に記載の方法を含むプロセスを実行する命令を備えるコンピュータ・プログラム。
【外国語明細書】
2019013002000001.pdf